(57)【要約】【課題】組立て、棚数、配置を変更可能な多機能タオル置物ハンガー。【解決手段】固定台１、メインバー２、固定桿２２、伸縮桿３からなる。メインバーは一対のメイン支持桿２１を備え、該一対のメイン支持桿は固定台の前方に各自垂直に結合し、固定桿は該一対のメイン支持桿の間に設置し、各固定桿の適する位置には定位孔を設置し、且つメイン支持桿の外側面の各固定桿の端部に対応する開口には伸縮孔を穿設する。伸縮桿は、伸縮孔に差し込み、固定桿内に嵌合する。各伸縮桿の内側の定位孔に対応する位置にはそれぞれ掛合部品を設置する。掛合部品が定位孔と掛合もしくは離脱することにより、該伸縮桿を該メインバー一側のメイン支持桿から伸長、固定桿内に収納可能とする。【選択図】図１
0003150340.tif 000002
【実用新案登録請求の範囲】
【請求項１】
多機能タオル置物ハンガーにおいて、
一対の相対設置する固定台と、
一対のメイン支持桿を備え、該一対のメイン支持桿は固定台の前方にそれぞれ垂直に結合し、少なくとも一つの中空の固定桿を該一対のメイン支持桿の間に設置し、各固定桿の適する位置に伸縮桿定位孔を穿設し、且つそのメイン支持桿両側にはそれぞれ各固定桿の端部に対応して相通する開口とそれに対する伸縮管を挿通する伸縮孔を穿設してメインバーを構成し、
さらに、該メイン支持桿の伸縮孔に差し込んで固定桿内に嵌合して収容され、該固定桿の定位孔に対応する位置にはそれぞれ掛合部品を設置した伸縮桿を設けて、
該掛合部品を該定位孔から掛合もしくは離脱することによって、該伸縮桿を該メインバーの一側のメイン支持桿から伸張、もしくは固定桿内に収納可能としたことを特徴とする多機能タオル置物ハンガー。
【請求項２】
前記固定桿と伸縮桿は、断面が矩形の菅体で、且つ各桿体の外端には端止部品を設置し、メイン支持桿は少なくとも一対の固定桿固定孔を横向きに穿設し、また他のメイン支持桿の内、外側にはそれぞれ少なくとも一対の相互に通じる固定孔及び伸縮孔を設置し、また固定桿の外径は固定孔に対応し、伸縮部品の外径は伸縮孔及び固定桿の内径に対応することを特徴とする請求項１記載の多機能タオル置物ハンガー。
【請求項３】
前記掛合部品は、一端に開口を設けたスリーブ内に弾性体を設置し、掛合凸部を該弾性体と該開口に固定した停止蓋の間に設置し、該凸部の一部が該停止蓋から露出することによって該定位孔に掛合するようにし、
さらに、該固定台にはリング支持桿により固定台の下方に垂直にリングタオル掛けを設置したことを特徴とする請求項１記載の多機能タオル置物ハンガー。
【請求項４】
前記定位孔は、各固定桿の開口近傍の内側面に設置することを特徴とする請求項１記載の多機能タオル置物ハンガー。
【請求項５】
多機能タオル置物ハンガーにおいて、
一対の相対設置する固定台と、
一対のメイン支持桿を備え、該一対のメイン支持桿は固定台の前方にそれぞれ垂直に結合し、少なくとも一つの中空の固定桿を該一対のメイン支持桿の間に設置して構成するメインバーと、
メインバー下方に位置して、固定台の前方にサブ支持桿を垂直に結合し、固定桿より短く、先端に端部材を設けて開放端とした１以上の掛桿を該サブ支持桿の内側方に向けて設けることによりハンガーを構成したサブバー、
からなることを特徴とする多機能タオル置物ハンガー。
【請求項６】
前記多機能タオル置物ハンガーは、更に少なくとも一つの伸縮桿を具え、該伸縮桿はメイン支持桿に差し込む外周寸法が各固定桿の端部の開口に設置した伸縮孔に対応し、更に固定桿内に収容・嵌合可能とし、
各伸縮桿の内側は定位孔に対応する位置にそれぞれ掛合部品を設置し、また各固定桿のこれに対応する位置に定位孔を穿設し、且つ該定位孔は各固定桿の開口近傍内側面に穿設し、
掛合部品が該定位孔から掛合、離脱することにより該伸縮桿を該メインバーの一側のメイン支持桿から伸張、もしくは固定桿内に収納可能としたことを特徴とする請求項５記載の多機能タオル置物ハンガー。
【請求項７】
前記固定桿と伸縮桿は、断面が矩形の菅体で、且つ各桿体の外端には端止部品を設置し、メイン支持桿は少なくとも一対の固定孔を横向きに穿設し、また他のメイン支持桿の内、外側にはそれぞれ少なくとも一対の相互に通じる固定孔及び伸縮孔を設置し、また固定桿の外径は該固定孔に対応し、伸縮部品の外径は伸縮孔及び固定桿の内径に対応することを特徴とする請求項６記載の多機能タオル置物ハンガー。
【請求項８】
前記掛合部品は、一端に開口を具えたスリーブ内に弾性体を設置し、該掛合凸部を該弾性体と該開口に固定する停止蓋の間に設置し、該凸部の一部を停止蓋から露出せしめて該定位孔に掛合させることを特徴とする請求項６記載の多機能タオル置物ハンガー。
【請求項９】
前記サブ支持桿は内端が折曲して角度傾斜を形成し、内側に伸びた複数本の掛桿は高さの落差を有することを特徴とする請求項５記載の多機能タオル置物ハンガー。
【請求項１０】
前記サブバーには、リング支持桿を固定台の下方に垂直に設置し、該リング支持桿の前方に枢設したタオル掛けリングを具えることを特徴とする請求項５記載の多機能タオル置物ハンガー。
【請求項１１】
多機能タオル置物ハンガーにおいて、少なくとも
開口を備え、平面上に固定する固定台と、
該開口によって該固定台から前方に垂直に結合され、その一側には少なくとも一つの固定孔を備えるメイン支持桿と、及び
その一端を該固定孔により該メイン支持桿上に接続固定され、他端をタオルを掛けたり、もしくは物を置いたりするのに用いる少なくとも一つの固定桿から構成されることを特徴とする多機能タオル置物ハンガー。
【請求項１２】
前記メイン支持桿、固定桿は、断面が矩形の菅体で、且つ該固定桿の他端は更に端止部品を備え、且つ該固定桿の数と、該固定孔は同じ数であることを特徴とする請求項１１記載の多機能タオル置物ハンガー。
【請求項１３】
多機能タオル置物ハンガーにおいて、
開口を備えて平面上に固定される固定台と、
該開口により該固定台の前方に垂直に結合され、その両側はそれぞれ少なくとも一つの伸縮桿固定孔を備えるメイン支持桿と、
その一端を該固定孔に伸縮桿挿通して該メイン支持桿の一側上に固定・設置され、且つ伸縮桿定位孔を備える少なくとも一つの固定桿と、
該メイン支持桿の他側の固定孔を通して該固定桿内に嵌合し、且つ各伸縮桿の内側には定位孔に対応する位置にそれぞれ掛合装置を設置して該掛合装置が該定位孔に掛合、離脱することにより該伸縮桿を該メイン支持桿の別一側から伸長、固定桿内に収納可能としてタオルを掛けたり、もしくは物を置いたりするのに用いる少なくとも一つの伸縮桿を具えることを特徴とする多機能タオル置物ハンガー。
【請求項１４】
前記メイン支持桿、固定桿と伸縮桿は、断面が矩形の菅体で、且つ該固定桿の他の端は更に端止部品を備えることを特徴とする請求項１３記載の多機能タオル置物ハンガー。
【請求項１５】
前記定位孔は、各固定桿の開口近傍の内側面に穿設することを特徴とする請求項１３記載の多機能タオル置物ハンガー。
【請求項１６】
前記掛合部品は、弾性片及び凸塊を備え、その該弾性片は弓形で，該伸縮桿内の該定位孔箇所に近接して設置し、別に該凸塊は該弾性片の上方に結合し、その一部が該定位孔から露出して定位孔内に掛合可能としたことを特徴とする請求項１３記載の多機能タオル置物ハンガー。
【考案の詳細な説明】
【技術分野】
【０００１】
本考案は、タオル置物ハンガーに関するもので、特に自在に購入者自身で組み立て、且つ使用者の空間配置、利き手に応じて自在に組立、弾力的に運用し、使用形態を変化させる多機能タオル置物ハンガーに係わる。
【背景技術】
【０００２】
タオルハンガーは、通常浴室もしくは台所の壁に設置し、タオルもしくは雑巾をかける。伝統的な設置方法は、一般に二つ一組の固定台を壁に固定し、並びに両者間に少なくとも一桿体をわたし、タオルもしくは雑巾を桿体上にかける。このことからもわかるように、単桿、二本桿もしくは多数桿に係わらず、タオルハンガーの桿体はすべて長さが固定しているため、浴室もしくは台所の空間配置に基づいて伸長もしくは収縮できないため、人数の多い家庭にとって、常にタオルハンガーのかける空間は不足しており、仕方なくタオルは重ねてかけ、乾くのに時間がかかることになり、黴菌を発生させやすく、且つ非開放式タオル桿はその上方が置物棚であるため、タオルをかけるのは不便である。
【０００３】
関係業者の間ではタオルハンガーと置物ハンガーを合わせてハンガーと称しており、それは両固定台の前方で一端が開口のフレーム体を結合する。該フレーム体の両側には平行に複数の桿体が設置され、タオル置物ハンガーを形成する。該ハンガー体の上方は物、例として沐浴時の換えの衣類を置き、各桿体にはタオルをかける。該タオル置物ハンガーの欠点は該フレーム体及びその間の桿体の長さが固定していて空間の配置に自在性がないことである。
【０００４】
更にタオルもしくは雑巾をかける場合、人にはそれぞれの習慣がある。例として左手、右手のどちらが利き手であるかという習慣によっても差がある。これらの事情から空間的配置及び利き手の使用習慣に対応し、且つ使用形態に応じて変化できる多機能タオル置物ハンガーが求められていると言える。
【先行技術文献】
【特許文献】
【０００５】
【特許文献１】特開２００７−９００１６号公報
【考案の概要】
【考案が解決しようとする課題】
【０００６】
解決しようとする問題点は、桿体の長さが固定していて空間の配置を自在にできない点、及び使用者がどちらの手を使うかという変化に対応できない点である。
【課題を解決するための手段】
【０００７】
本考案は、固定台、メインバー、伸縮桿を含む。固定台は一対を相対設置する、一メインバーは一対のメイン支持桿を備え、該対のメイン支持桿は固定台の前方に各自垂直に結合し、少なくとも一固定桿は該対のメイン支持桿の間に設置し、各固定桿の適する位置には定位孔を設置し、且つそのうち一メイン支持桿の外側面の各固定桿の端部に対応する開口には一伸縮孔を穿設する。少なくとも一伸縮桿は、伸縮孔に差し込み、固定桿内に嵌合する。各伸縮桿の内側の定位孔に対応する位置にはそれぞれ一掛合部品を設置する。掛合部品が定位孔と掛合もしくは離脱することにより、該伸縮桿を該メインバー一側のメイン支持桿から伸ばして出したり、もしくは固定桿内に収納したりすることを最も主要な特徴とする。
【考案の効果】
【０００８】
本考案の多機能タオル置物ハンガーは、自在に組み立て、且つ使用者の習慣に応じて空間的配置及び手の使用習慣に適応するという利点がある。
【図面の簡単な説明】
【０００９】
【図１】本考案の多機能タオル置物ハンガーの立体分解図である。
【図２】本考案の組立後の立体図で伸縮桿が伸びた状態図である。
【図３】本考案の組立後の別の一立体図で、伸縮桿が収縮した状態図である。
【図４】図２のA-A線に沿った断面図である。
【図５】図３のB-B線に沿った断面図である。
【図６】本考案の多機能タオル置物ハンガー実施時の別の一変形の立体図である。
【図７】本考案の多機能タオル置物ハンガー実施時の更に別の一変形の立体図である。
【図８】本考案の多機能タオル置物ハンガー実施時の別の一変形の立体図である。
【図９】本考案の多機能タオル置物ハンガーの付属ハンガーの別一実施例の立体図である。
【図１０】本考案の別一実施例の多機能タオル置物ハンガーの立体分解図である。
【図１１】図１０に示すような多機能タオル置物ハンガーを組み立てた立体図である。
【図１２】本考案の別の実施例の多機能タオル置物ハンガーの立体分解図である。
【図１３】図１２の実施例を組み立てた立体図で、伸縮桿が伸長した状態図である。
【図１４】図１２実施例を組み立てた立体図で、伸縮桿が収縮した状態図である。
【図１５】図１３のA-A線に沿った断面図である。
【図１６】図１４のB-B線に沿った断面図である。
【考案を実施するための形態】
【００１０】
本考案者は、長年の観察、研究から前述の公知タオルハンガー、タオル置物ハンガーの長さが固定され、弾力的に使用できないこと及び空間に基づいて使用形態を変化できないという欠点を克服し、実験とテストを重ねて本考案の「多機能タオル置物ハンガー」を創案することとなった。
【００１１】
該多機能タオル置物ハンガーはメインバーの任意の一側に少なくとも一伸縮桿を可動結合し、該メインバー一側のメイン支持桿から伸ばしたり、もしくは固定桿内に収納したりして空間配置の要求に応えることを本考案の目的及び効果とする。
【００１２】
多機能な使用方法を高め、及び使用者の利き手習慣に応えるため、本考案は、任意の一固定台の下方にサブバーを結合して二層ハンガーを形成する。該サブバーは開放式ハンガーで、使用者の利き手習慣に応じて設置し、使用者の求めに応じる。これらによって、本考案は空間もしくはパーソナルな求めに応じて弾力的に使用形態を変化させる事を本考案の次の目的とする。
【００１３】
前述の目的を達成するため、本考案が採用する技術手段として、多機能タオル置物ハンガーを提供する。それは固定台、メインバー、伸縮桿を含む。固定台は一対を相対設置する、一メインバーは一対のメイン支持桿を備え、該対のメイン支持桿は固定台の前方に各自垂直に結合し、少なくとも一固定桿は該対のメイン支持桿の間に設置し、各固定桿の適する位置には定位孔を設置し、且つそのうち一メイン支持桿の外側面の各固定桿の端部に対応する開口には一伸縮孔を穿設する。少なくとも一伸縮桿は、伸縮孔に差し込み、固定桿内に嵌合する。各伸縮桿の内側の定位孔に対応する位置にはそれぞれ一掛合部品を設置する。掛合部品が定位孔と掛合もしくは離脱することにより、該伸縮桿を該メインバー一側のメイン支持桿から伸ばして出したり、もしくは固定桿内に収納したりする
【００１４】
本考案が採用する別の一技術手段として、多機能タオル置物ハンガーを提供し、それは固定台、メインバー、サブバーを含む。固定台は一対を相対設置する。一メインバーは、一対のメイン支持桿を備え、該対のメイン支持桿は固定台の前方に各自垂直に結合し、少なくとも一固定桿は該対のメイン支持桿の間に設置する。サブバーはメインバーの下方に位置し、それはサブ支持桿を備え、任意の一固定台の前方に垂直に結合し、少なくとも掛桿は該サブ支持桿内側面に設置し、各掛桿の長さは固定桿より短く、且つ内端には一端部材を備え、開放式のハンガーを形成する。
【００１５】
本考案が採用する更に別の一技術手段は、一種の多機能タオル置物ハンガーを提供し、それは固定台、メイン支持桿、固定桿を含む。固定台は開口を備え、それを平面上に固定する。メイン支持桿は該開口から該固定台の前方に垂直に結合することによって、その一側には少なくとも一固定孔を備える。及び少なくとも一固定桿は、その一端を該固定孔から該メイン支持桿上に設置し、別一端はタオルを掛けたり、もしくは物を置いたりするのに用いる。
【００１６】
本考案が採用する更に別の一技術手段は、一種の多機能タオル置物ハンガーを提供し、それは固定台、メイン支持桿、固定桿、及び伸縮桿を含む。固定台は一開口を備え、それを平面上に固定する。メイン支持桿は、該開口から該固定台の前方に垂直に固定し、その両側はそれぞれ少なくとも一固定孔を備える。少なくとも一固定桿は、その一端を該固定孔に通して該メイン支持桿の一側に設置し、且つ該固定桿は定位孔を備える。及び少なくとも一伸縮桿は、該メイン支持桿の別一側の固定孔に通して該固定桿内に嵌合し、且つ各伸縮桿の内側の定位孔に対応する位置にはそれぞれ掛合装置を設置する。該掛合装置を該定位孔に掛合したり、離脱したりすることにより、該伸縮桿を該メイン支持桿の別一側から伸びたり、もしくは固定桿内に収納したりしてタオルを掛けたり、もしくは物を置いたりするのに用いる。
本考案について、更に詳しく技術内容を提示する。
【実施例】
【００１７】
図１から図５に示すとおり、基本的に本考案の多機能タオル置物ハンガーは、一対の固定台１，メインバー２，及び伸縮桿３により構成される。該多機能タオル置物ハンガーは、使用者の利き手の操作習慣に基づいてサブバー４及び/もしくはリングタオル掛け５を設置し、本考案は二層の多機能タオル置物ハンガーを形成する。
【００１８】
一対の固定台１は、相対して設置され、メインバー２がその前方に伸張する。各固定台１は縦方向に配置される台座片で、前方にはメインバー２のメイン支持桿２１が垂直に伸張される。各メイン支持桿２１と固定台１は螺合方式で連結するが、固定構造はこれに限定されず、該固定台１とメイン支持桿２１は溶接方式で連結してもよい。図１に示すのは、該一対の固定台１は公知の螺合方式で、例としてネジの螺合部を差し込み、壁に開けた孔内に嵌め込んだプラスチック拡張部品に螺合して固定する。各固定台１は壁にしっかりと固定する。次に該ネジ螺合部の外端に結合した嵌合部品は壁フックと相互に螺合するもので、固定台１と壁の固定構造は公知技術であるため、詳述しない。
【００１９】
本考案のメイン支持桿２１が公知技術と異なるのは、メイン支持桿２１に少なくとも一対の固定孔２１１が横向きに穿設され、また別のメイン支持桿２１の内、外側にはそれぞれ少なくとも一対の相互に通じる固定孔２１１及び伸縮孔２１２が穿設される点である。図１に示すとおり、各メイン支持桿２１には四組の孔が平行に設置され、それぞれ後述の四本の固定桿２２と伸縮桿３が嵌合される。
【００２０】
固定桿２２は、断面が矩形の管体で、その外端には口径が固定孔２１１より大きい端止部品２２１を設け、また内側の適当な位置の内側面に定位孔２２２を設ける。組立時、各固定桿２２をメイン支持桿２１の一対の固定孔２１１から差しこみ、端止部品２２１で該メイン支持桿２１外側の固定孔２１１を停止する。また他端は別のメイン支持桿２１の固定孔２１１に差し込み、伸縮孔２１２内壁に当接し、該固定桿２２の両端をそれぞれメイン支持桿２１に固定し、該他端の開口２２３を伸縮孔２１２に一致させる。
【００２１】
伸縮桿３は、外径が固定桿２２内径に対応する矩形管体で、その一端には口径が伸縮孔２１２より大きい端止部品３１を設置し、また固定桿の定位孔２２２に対応する適所には掛合部品３２を設ける。図４に示すとおり、該掛合部品３２は一端が開口したスリーブ３２１で、内部には弾性体，例えばバネ(公知であるため、図示しない)を設置し、該スリーブを閉塞する停止蓋３２３に設けた開口から突出した掛合凸部３２２を該弾性体により該開口に向けて押圧させ、該定位孔２２２に掛合させる。
【００２２】
組立時、各伸縮桿３は、メイン支持桿２１の伸縮孔２１２から嵌入し、固定桿２２の開口２２３へ嵌入する。該掛合部品３２が定位孔２２２の位置に移動すると、該掛合凸部３２２は弾性によって突出し、定位孔２２２に掛合される。即ち、図２に示すように、該複数の伸縮桿３はメインバー２の右側から伸張した形態となる。そのうち，該両メイン支持桿２１間は互いに平行な複数本の固定桿２２がメインバー２を形成して置物ハンガーとなる。また、側面方向に伸びた複数本の伸縮桿３の他端は開放端となって、タオルを該伸縮桿３に掛ける。これらによって実用上、本考案により置物空間が増える。該一対の固定台１の上、下部ではメインバー２にそれぞれ連結し、その各固定桿２２に伸縮桿３を結合することによって、本考案のタオル置物ハンガーは二倍の載置棚及び掛ける空間を備える。
【００２３】
図３及び図５に示すように、仮に該伸縮桿３を固定桿２２内に収納する場合、各伸縮桿３の開放端を押圧して、掛合部品３２の掛合凸部３２２を定位孔２２２に押し込み、スリーブ３２１内に収縮させると、スムーズに伸縮桿３全体が固定桿２２内に収納され、使用空間が小さくなる。更に、使用者は掛けたいタオルもしくはバスタオルの枚数によって伸縮桿３を単独で操作して伸ばしてもよい。
【００２４】
図１に示すとおり、本考案は、更にサブ支持桿４１，及び掛桿４２から構成される開放式サブバー４を設ける。
【００２５】
該サブ支持桿４１は、前述のメイン支持桿２１の結合方式により固定台１下方に結合し、掛桿４２は該サブ支持桿４１の内側面に接続設置する。各掛桿４２の長さは、固定桿２２より短い。図６に示すとおり、タオルを掛ける数を増やすため、該サブ支持桿４１は内端に端部材４２１を備えた複数本の掛桿４２を横向きに設置し、タオルを各掛桿４２内側に入れて掛けやすくする。
【００２６】
図１及び図２に示すとおり、該サブバー４は、第一実施例の伸縮及び収納機能を備えたメインバー２に合わせて二層ハンガーを形成する。特に、本考案は別にリングタオル掛け５を具え、リング支持桿５１を固定台１下方に垂直に設け、該リング支持桿５１の前方にはタオル掛けリング５２を枢設し、タオルを該タオル掛けリング５２に掛けて、お手拭として用いる。
【００２７】
図３に示すとおり、該サブバー４上方には公知のメインバー２を結合してもよい。例として両メイン支持桿２１の間に一本以上の固定桿２を設置して二層式のハンガーを形成する。
【００２８】
図６に示すのは、本考案の実施時の別の態様である。これは該メインバー２下層のサブバー４及びリングタオル掛け５の位置を逆に配置したもので、右手を利き手として使う使用者に便利なタオルの設置方法である。また図３に示すサブバー４の設置方式は左手を利き手として習慣的に使う使用者に適した設置方式である。
【００２９】
図７に示すのは、本考案の実施時の更に別の態様である。これは両固定台１、複数本の固定桿２２及び複数本の伸縮桿３の位置を逆に配置したもので、該複数の伸縮桿３をメインバー２の左側から伸長もしくは収納し、本考案の多機能タオル置物ハンガーの空間配置の要求に応える。該複数の伸縮桿３は図２もしくは図７に示すメインバー２の任意の一側に設置してよい。当然この種の配置方式は空間を自在に使い、利き手の異なる習慣に応える配置である。
【００３０】
図８は、本考案の実施の他の態様であり、それと図７の差異は該サブバー４及びリングタオル掛け５が固定台１上の位置を互換できるようにしたことである。この差異は使用者が自分で組み立てるときに各自の使用習慣に依って、上記のように調整すればよいから、詳述しない。
【００３１】
図９に示すのは、本考案のサブバー４の別の実施態様である。それと前述のサブバー４の差異は、該サブ支持桿４１が折曲した構造とすることで、角度傾斜を形成する。内側に伸びる複数本の掛桿４２は高さの差があるため、特殊な視覚効果を表す。
【００３２】
図１０から図１１に示すのは、それぞれ本考案の別の良好な実施例の多機能タオル置物ハンガーの分解斜視図である。基本的に本考案の別の実施例の多機能タオル置物ハンガーは、固定台１、メイン支持桿２１，及び１以上の固定桿２２によって構成される。このうち符号は、上述の図１から図９の相当する部材については共通とした。
【００３３】
該固定台１は、開口１１を備え、平面上に固定する。例として壁を挙げるがそれに制限されない。該固定台１は縦方向に直立した台座片である。
【００３４】
該メイン支持桿２１は、該開口１１から該固定台１の前方に垂直方向に取り付けられることから、その側方に固定桿を固定する固定孔２１１を備える。例として右側方向きの例を挙げているがそれに制限されない。該メイン支持桿２１と固定台１はネジ止めもしくは弾性片方式で連結するが、それに制限されず、該固定台１とメイン支持桿２１は溶接方式でもよい。図１０に示すとおり、該固定台１は公知の螺合方式で、例としてネジの螺合部を差し込み、壁の孔内に嵌入したプラスチック拡張部品に螺合し、固定台１を壁にしっかりと固定する。続いて該ネジ螺合部の外端に結合した嵌合部品は壁フックと相互に螺合する。固定台１と壁の連接位置を装飾するのは公知技術であるため、ここでは詳述しない。
【００３５】
該固定桿２２の一端は、該固定孔２１１を挿通して該メイン支持桿２１の一側もしくは両側に接続する。他端にはタオルを掛けるか、もしくは物を置く。本実施例に於いて、両固定桿２２は該メイン支持桿２１の右側に設置して説明しているが、実際には複数本の固定桿２１をそれぞれ該メイン支持桿２１の両側に設置してもよく、該メイン支持桿２１の両側にはすべてタオルをかけてもよい。更に該固定桿２２は断面が矩形の管体であり、その外端には端止部品２２１を設置する。該固定桿３の数は必要に応じて変えてもよく、本実施例では二本を例として説明しているが、それに制限されない。
【００３６】
組立時、各固定桿２２を該メイン支持桿２１右側の固定孔２１１から差し込み、その端部を該メイン支持桿２１の他の側で止める。最後に端止部品２２１を該固定桿２２の端部に差し込んで組立を完成し、該固定桿２２上にタオルを掛けるか、もしくは物を置く。
【００３７】
図１２から図１６に示すのは、本考案の更に別の実施例の多機能タオル置物ハンガーの分解斜視図である。基本的に本考案の更に別の実施例の多機能タオル置物ハンガーは、固定台６，メイン支持桿７，少なくとも一つの固定桿８及び少なくとも一つの伸縮桿９から構成される。
【００３８】
該固定台６には開口６１を備え、平面上に固定する。例として壁を挙げているがそれに制限されない。ここで，該固定台６は縦方向の形態の台座片である。
【００３９】
該メイン支持桿７は、該開口６１により該固定台６前方に垂直に結合し、その両側にはそれぞれ少なくとも１以上の固定孔７１を備え、該メイン支持桿７と固定台６は螺合もしくは弾性片方式で連結するが、これに制限されず、該固定台６とメイン支持桿７は溶接方式でもよい。図１２に示すとおり、該固定台６は、公知の螺合方式，例としてネジの螺合部を差し込み、壁の孔内に嵌入したプラスチック拡張部品に螺合することによって、固定台６を壁にしっかりと固定し、続いて該ネジ螺合部の外端を結合した嵌合部品は壁フックと相互に螺合する。固定台６と壁の連接位置を修飾するのは、公知技術であるため、ここでは詳述しない。
【００４０】
該固定桿８の一端は、該固定孔７１により該メイン支持桿７の一側上に設置される。例として右側に設置しているがそれに制限されない。更に該固定桿８は定位孔８１を備え、それは該固定桿８の開口近傍の内側面に設置する。該固定桿８は断面矩形の管体であり、その外端には端止部品８２を設置する。該固定桿８の数は変更してもよく、本実施例中では二本で説明しているが、それに制限されない。
【００４１】
該伸縮桿９は、該メイン支持桿７の他の側（例として左側であるが制限されない）の固定孔７１を通り、該固定桿８開口に嵌合される。更に各伸縮桿９の内側には定位孔８１に対応する位置にそれぞれ掛合装置９１を設置する。掛合装置９１が該定位孔８１に掛合もしくは離脱すると、該伸縮桿９は該メイン支持桿７の他の側から（例として、左側を挙げるがそれに制限されない。）伸びるか、もしくは固定桿８内に収納され、タオルをかけるか、もしくは物を置く。
【００４２】
上記掛合部品９１は、弾性片９１１及び凸塊９１２を備える。該弾性片９１１は（例として弓形であるが，それに制限されない）、該伸縮桿９内で該定位孔８１箇所に位置し、該凸塊９１２は該弾性片９１１の上方に設けられてその一部は該定位孔８１から露出して該定位孔８１内で掛合する。
【００４３】
組立時、各伸縮桿９は、該固定桿８の開口から差し込み、該掛合装置９１が定位孔８１の位置へ移動すると、該凸塊９１２は弾力に依って突出して定位孔８１に掛合するもので、図１３に示すとおり、該複数の伸縮桿９はメイン支持桿７の左側から伸張した形態で固定される。そのうち、両メイン支持桿７の間は互いに平行であるため、置物ハンガーとなる。側方向に伸びた複数本の伸縮桿９の先端は開放端であるため、タオルを伸縮桿９の側面から入れて掛けやすい。
【００４４】
図１４に示すとおり、仮に該伸縮桿９を縮小して固定桿８内に収納する場合、各伸縮桿９端部から押圧すると掛合装置９の凸塊９１２が定位孔８１へ押込まれて、伸縮桿９内に入り込み、スムーズに伸縮桿９全体を固定桿８内に収縮させ、使用空間を小さくする。特に使用者は掛けたいタオルもしくはバスタオルの数によって伸縮桿９を単独で操作して伸ばしてもよい。
【００４５】
つまり、本考案の実施によって、該一対の固定台は前方にメインバーを結合し、少なくとも一つの伸縮桿を該メインバー一側のメイン支持桿から固定桿内に伸ばして出すか、もしくは収納し、空間を調節する。更に、本考案は任意の固定台の下方にサブバーを結合し、二層式ハンガーを形成する。該サブバーは開放式ハンガーで使用者の利き手の習慣に応じて設置するので、利用者の求めに符合する。この他、使用機能を増やすため、該サブバーの別端の固定台にはリングタオル掛けを結合し、お手拭を掛ける。更に本考案は空間もしくは個人求めに応じて弾力的に使用形態を変化させて運用し、同じタイプのハンガーの中でも従来にないすぐれた構造を形成している。
【００４６】
本考案に示すのは、良好な実施例の一種であり、局部の変更もしくは修飾のすべては本考案の技術思想に基づくものであり、またそれは当該技術習熟者であれば推知できるものであるため、本考案の請求範囲に含まれる。
【符号の説明】
【００４７】
１        固定台
１１        開口
２        メインバー
２１        メイン支持桿
２１１        固定孔
２１２        伸縮孔
２２        固定桿
２２１        端止部品
２２２        定位孔
２２３        開口
３        伸縮桿
３１        端止部品
３２        掛合部品
３２１        スリーブ
３２２        掛合凸部
３２３        停止蓋
４        サブバー
４１        サブ支持桿
４２        掛桿
４２１        端部材
５        リングタオル掛け
５１        リング支持桿
５２        タオル掛けリング
６        固定台
６１        開口
７        メイン支持桿
７１        固定孔
８        固定桿
８１        定位孔
８２        端止部品
９        伸縮桿
９１        掛合装置
９１１        弾性片
９１２        凸塊
【図１】
0003150340.tif 000003
【図２】
0003150340.tif 000004
【図３】
0003150340.tif 000005
【図４】
0003150340.tif 000006
【図５】
0003150340.tif 000007
【図６】
0003150340.tif 000008
【図７】
0003150340.tif 000009
【図８】
0003150340.tif 000010
【図９】
0003150340.tif 000011
【図１０】
0003150340.tif 000012
【図１１】
0003150340.tif 000013
【図１２】
0003150340.tif 000014
【図１３】
0003150340.tif 000015
【図１４】
0003150340.tif 000016
【図１５】
0003150340.tif 000017
【図１６】
0003150340.tif 000018